(57)【要約】【課題】  大容量で重量の重いボトル容器でも、手の大きさや指の長さに関係なく、持ち易さと注ぎ易さを向上すること。【解決手段】  ボトル容器１０であって、容器本体部２０に第１側面２１、第２側面２２及び第３側面２３に渡るように連続して形成され、手指を納め得る凹部３１、並びに手の上縁部が当接し得る上端起立部３２を有する把持部３０が形成され、把持部３０の凹部３１が、第１側面２１及び第２側面２２に形成される両側の平坦部３１Ａと、第１側面２１、第２側面２２及び第３側面２３に渡るように連続して形成されて両側の平坦部３１Ａ同士をつなぐ曲面部３１Ｂとを有するもの。【選択図】  図１
2010241446.tif 000002
【特許請求の範囲】
【請求項１】
片手で把持可能にされる容器本体部と、該容器本体部の上面に設けられて内容物を注出するための注出口部を有するボトル容器であって、
前記容器本体部を片手で把持する際に、当該容器本体部に、第１指が接する第１側面と、該第１側面と相対するように設けられ、他の指が接する第２側面と、第１側面と第２側面とをつなぐように設けられ、手の平と接する第３側面を有するとともに、
前記容器本体部に、第１側面、第２側面及び第３側面に渡るように連続して形成され手指を納め得る凹部、並びに手の上縁部が当接し得る上端起立部を有する把持部が形成され、
前記把持部の凹部が、前記第１側面及び第２側面に形成される両側の平坦部と、第１側面、第２側面及び第３側面に渡るように連続して形成されて前記両側の平坦部同士をつなぐ曲面部とを有するボトル容器。
【請求項２】
前記把持部の凹部が、前記平坦部と前記曲面部の境界に凸条部を形成してなる請求項１に記載のボトル容器。
【請求項３】
前記把持部が、少なくとも第１側面及び第２側面に形成され、手の下縁部が当接し得る下端起立部を更に有し、
前記上端起立部は前記凹部の平坦部及び曲面部から略直角又は鈍角の傾斜角度で前記第１側面、第２側面及び第３側面の各上凸部へ向けて立ち上がる部分であり、
前記下端起立部は凹部の平坦部及び曲面部から鈍角の傾斜角度で第１側面、第２側面及び第３側面の各下凸部へ向けて立ち下がる部分であり、
前記把持部の凹部が、第３側面の上凸部と下凸部の間に、前記手の上縁部が前記上端起立部に当接し、かつ手の下縁部が前記下端起立部に当接することができる長さの曲面中央部を、前記曲面部の中央に有する請求項１又は２に記載のボトル容器。
【請求項４】
前記把持部の凹部が有する曲面中央部の長さを、成人の統計的な最小手幅とし、前記曲面中央部の長さに前記下端起立部の長さを加えた長さを、成人の統計的な最大手幅とする請求項３に記載のボトル容器。
【請求項５】
前記把持部の凹部が有する曲面中央部が前記容器本体部の底面に対して略垂直をなす請求項３又は４に記載のボトル容器。
【請求項６】
前記把持部の上端起立部が前記容器本体部の底面に対して略平行をなす請求項１〜５のいずれかに記載のボトル容器。
【請求項７】
前記注出口部が前記第３側面に向かって開口している注出筒を有する請求項１〜６のいずれかに記載のボトル容器。
【請求項８】
前記容器本体部が400mL〜2000mLの容量をなす請求項１〜７のいずれかに記載のボトル容器。
【発明の詳細な説明】
【技術分野】
【０００１】
本発明は液体洗剤等のためのボトル容器に関する。
【背景技術】
【０００２】
大容量で重量の重いボトル容器であって、取手を有さずに、持ち易さや注ぎ易さを考慮したボトル容器として、特許文献１、２に記載のものがある。
【０００３】
特許文献１に記載のボトル容器は、容器本体部の胴部の両側に指先がかかる深い把持用凹部を設け、把持用凹部内に、ボトル軸方向に所定の間隔をなす３本のリードを設けたものである。
【０００４】
特許文献２に記載のボトル容器は、容器本体部に、容器本体を片手で把持する際に第１指が接する第１の側面と、第１の側面と対向するように設けられていて、第２指から第５指のいずれかの指が接する第２の側面と、第１の側面と第２の側面とに連続して設けられた第３の側面とを有するとともに、グリップ部が設けられている。グリップ部は、第１の側面と第２の側面との少なくとも一方又は両方の側面に、指先が接する部分を凹ませて設けられた第１凹部と、第３の側面に、第１の側面と前記第２の側面との間に渡って一部を切欠くように凹ませて設けられた第２凹部とを有している。
【先行技術文献】
【特許文献】
【０００５】
【特許文献１】特開2006-321568
【特許文献２】実登録3134790
【発明の概要】
【発明が解決しようとする課題】
【０００６】
特許文献１、２に記載のボトル容器は、容器本体部の相対する側面に設けた凹部を、片手の第１指の指先と第２指等の指先とで握ることにより把持される。片手の指先だけで容器本体部の相対する側面の凹部を握るものであり、手の大きさや指の長さによっては、容器本体部を安定把持できないことがある。特に、大容量のボトル容器では、片手で把持した容器本体を傾ける内容物の注ぎ出し時に、指先から容器本体が逃げ、容器本体を安定把持できず、注ぎ出し性を損なう。
【０００７】
本発明の課題は、大容量で重量の重いボトル容器でも、手の大きさや指の長さに関係なく、持ち易さと注ぎ易さを向上することにある。
【課題を解決するための手段】
【０００８】
請求項１の発明は、片手で把持可能にされる容器本体部と、該容器本体部の上面に設けられて内容物を注出するための注出口部を有するボトル容器であって、前記容器本体部を片手で把持する際に、当該容器本体部に、第１指が接する第１側面と、該第１側面と相対するように設けられ、他の指が接する第２側面と、第１側面と第２側面とをつなぐように設けられ、手の平と接する第３側面を有するとともに、前記容器本体部に、第１側面、第２側面及び第３側面に渡るように連続して形成され手指を納め得る凹部、並びに手の上縁部が当接し得る上端起立部を有する把持部が形成され、前記把持部の凹部が、前記第１側面及び第２側面に形成される両側の平坦部と、第１側面、第２側面及び第３側面に渡るように連続して形成されて前記両側の平坦部同士をつなぐ曲面部とを有するようにしたものである。
【図面の簡単な説明】
【０００９】
【図１】図１は本発明のボトル容器を示す正面図である。
【図２】図２は図１の側面図である。
【図３】図３は図１のIII−III線に沿う断面図である。
【図４】図４はボトル容器を手で把持した状態を示す背面図である。
【図５】図５はボトル容器を手で把持した状態を示す正面図である。
【図６】図６はボトル容器を手で把持した状態を示す断面図である。
【図７】図７はボトル容器の変形例を示す正面図である。
【図８】図８は実施例１の本発明ボトル容器を示し、（Ａ）は正面図、（Ｂ）は側面図である。
【図９】図９は比較例１のボトル容器を示し、（Ａ）は正面図、（Ｂ）は側面図である。
【図１０】図１０は比較例２の取手付ボトル容器を示し、（Ａ）は正面図、（Ｂ）は側面図である。
【図１１】図１１は比較例３のペットボトル容器を示し、（Ａ）は正面図、（Ｂ）は側面図である。
【図１２】図１２は比較例４のペットボトル容器を示し、（Ａ）は正面図、（Ｂ）は側面図である。
【発明を実施するための形態】
【００１０】
図１〜図３に示すボトル容器１０は、大容量で重量が重くても、取手を有さずに、持ち易さや注ぎ易さを考慮したものである。ボトル容器１０は、片手で把持可能にされる容器本体部２０と、容器本体部２０の上面（上部の開口部）２０Ａに設けられて液体本体等の内容物を注出するための注出口部４０を有する。容器本体部２０は、例えば2000mLの大容量をなす。容量に関しては、小容量であっても当然にして本発明の効果を得ることができるが、400mL以上の容量、とりわけ600mL以上の容量の容器において、他の形態の容器と比較して、本発明の効果が明確となる。注出口部４０は、容器本体部２０の開口部に取着される注出筒４１により構成される。ボトル容器１０は、容器本体部２０、注出口部４０（注出筒４１）を合成樹脂の成形体により構成している。
【００１１】
ボトル容器１０は、容器本体部２０を片手（図１の場合は右手）で把持する際に、第１指が接する第１側面２１と、第１側面２１と相対するように設けられ、第２指から第５指が接する第２側面２２と、第１側面２１と第２側面２２とをつなぐように設けられ、手の平と接する第３側面２３を有する。
【００１２】
本実施例の容器本体部２０は、横断面形状を図３に示す如き長円形状とし、その長軸方向に沿う両側面を第１側面２１と第２側面２２とし、その長軸に直交する方向に沿う一側面を第３側面２３とする。即ち、当該各側面は、図１に示すように、底面２０Ｂを下側にしたときに、容器本体部２０の上下方向に設けられている。
【００１３】
ここで、本願明細書では、親指を第１指と称し、以下、人指し指を第２指、中指を第３指、薬指を第４指、小指を第５指と称する。
【００１４】
また、指が接するとは、指の腹部が各側面に接することを意味する。尚、左手で本願ボトル容器を把持した場合には、第１側面は図２の符号２２の部分を指し、第２側面は符号２１の部分を指す。
【００１５】
容器本体部２０には、第１側面２１、第２側面２２及び第３側面２３に渡るように連続して形成され手指を納め得る凹部３１、並びに第１指及び第２指を含む手５０の上縁部５１が当接し得る上端起立部３２を有する把持部３０が形成される。即ち、把持部３０は、図３の周方向に形成される。このとき、把持部３０の凹部３１は、第１側面２１及び第２側面２２に形成される両側の平坦部３１Ａと、第１側面２１、第２側面２２及び第３側面２３に渡るように連続して形成されて両側の平坦部３１Ａ同士をつなぐ曲面部３１Ｂとを有する。ここで「手指を納め得る凹部」とは、図４及び図５に示すように容器本体部２０を把持した時に、第１指乃至第５指及び手の平を接触させて納めることができる凹部のことである。また「手の上縁部が当接し得る上端起立部」とは、図４及び図５に示すように容器本体部２０を把持した時に、又は容器本体部２０を把持して持ち上げた時に、手の上縁部が当接することができる上端起立部のことである。
【００１６】
平坦部３１Ａは第１側面２１又は第２側面２２から側面視した時に、当該ボトル容器に規定量の内容物（例えば当該ボトルが“内容量１リットル”として販売される場合には、規定量は“１リットル”となる）が充填されている場合の重心位置Ｇを含む位置に設けられることが好ましい（図１）。かかる位置に平坦部が設けられていると、大容量で重量の重いボトル容器であっても、把持し易く、計量キャップに内容物を注ぎ易くなる。
【００１７】
平坦部３１Ａの形は、手で容器本体を把持した時の手の形に準じた形状となるように、第３側面２３側が幅広くなっていることが好ましい。本願実施形態では、図１に示すように第１側面２１側から側面視した場合には、略「逆Ｄ」形となっている。一方、図４に示すように第２側面２２側から側面視した場合には略「Ｄ」形となっている。平坦部３１Ａをかかる形状とすることにより、本発明容器１０の使用者が自然と第３側面２３に手の平を接触させ、次いで第１指を第１側面２１に接触させ、第２指から第５指を第２側面２２に接触させてから把持するようになる（図５、図６）。この時、内容物の注ぎ易さの観点で注出口部４０の注出筒４１が前記第３側面２３に向かって開口していることが好ましい。尚、図４〜図６において、５０は手、５１は手の上縁部、５２は手の下縁部を示す。
【００１８】
平坦部３１Ａの肉厚みを、曲面部３１Ｂの肉厚みより薄くすることにより、ボトル容器１０のキャップを開栓したときに、手の把持力に従って平坦部３１Ａが容器本体部２０の内側に変形し易くなり、大容量で重量の重いボトル容器１０であっても、握り易くなり、従って把持し易く、内容物を注ぎ易くなる。
【００１９】
また一般の容器（本願発明のボトル容器以外の容器）に内容物として界面活性剤入りの洗剤等を充填した場合に、キャップが閉められた状態で一定期間ボトル容器１０を放置しておくと、当該容器内の酸素が界面活性剤に吸収され、容器内部が負圧となり容器が変形する場合がある。一方、本願発明のボトル容器１０の場合には、平坦部３１Ａの肉厚みを曲面部３１Ｂの肉厚みより薄くすることにより、平坦部３１Ａを容器の他部分よりも積極的に変形させることにより、ボトル容器１０全体の外観を保つことができる。即ち、負圧によりボトル容器１０にバックリング現象（凹み現象）が発生しても、平坦部３１Ａは平坦を維持しながら容器内側に変形するため、ボトル容器１０全体の外観に大きく影響を及ぼさない効果を有し、減圧変形パネルとしての役割も果たすことができる。
【００２０】
平坦部３１Ａの大きさは、最大幅方向Ｌが30mm〜50mm、最大縦方向長さＹが50mm〜70mmの範囲であれば、大容量で重量の重いボトル容器１０であっても、把持し易く、内容物を注ぎ易い。
【００２１】
尚、平坦部３１Ａは曲面部３１Ｂと比較して平坦であれば良く、完全な平坦である必要はない。
【００２２】
更に、把持部３０の凹部３１は、平坦部３１Ａと曲面部３１Ｂの境界に凸条部３１Ｄを形成する。凸条部３１Ｄは、平坦部３１Ａと曲面部３１Ｂが設けられる第１側面２１と第２側面２２上で、平坦部３１Ａと曲面部３１Ｂが会合して外方に凸をなす折れ線（山の稜線）の如くをなし、容器本体部２０を把持し、傾けて内容物を注ぎ出すときの手指の滑り止めとなる部分である。
【００２３】
把持部３０は、第５指を含む手の下縁部５２が当接し得る下端起立部３３を更に有することが好ましい。下端起立部３３は、少なくとも第１側面２１及び第２側面２２（必要であれば第１側面２１、第２側面２２及び第３側面２３）に形成される。当該下端起立部３３を有すると、大重量の容器本体部２０を傾けて内容物を注ぎ出すときに、下端起立部３３が第５指の滑りを防止するストッパの役割を果たし、内容物を注ぎ出し易くなる（図４）。
【００２４】
把持部３０において、上端起立部３２は、凹部３１の平坦部３１Ａ及び曲面部３１Ｂから略直角又は鈍角の傾斜角度で、第１側面２１、第２側面２２及び第３側面２３の各上凸部２１Ａ、２２Ａ、２３Ａへ向けて立ち上がる部分である。即ち、上端起立部３２は、第３側面２３から側面視したときに、平坦部３１Ａ及び曲面部３１Ｂから略直角又は鈍角の傾斜角度θ１で第１側面２１又は第２側面２２の上凸部２１Ａ、２２Ａへ向けて立ち上がる部分である（図２）。
【００２５】
ここで、上凸部２１Ａ、２２Ａとは、前記各側面において、上端起立部３２より上部に位置する部分のことをいう。
【００２６】
前記傾斜角度θ１を略直角又は鈍角の傾斜角度にすることで、把持した際、手５０の上縁部５１が上端起立部３２に引っ掛かり、当該容器１０を持ち上げ易くなり、把持性が良好になる。尚、当該上端起立部３２は、当該容器１０を把持して持ち上げた場合の手５０の上縁部５１が当接する部分であるので、把持の基準位置となる。
【００２７】
当該傾斜角度θ１は、容器１０を持ち上げ易くする観点から90度であることが好ましいが、容器１０の成形後に金型から取外し易くするために、いわゆる抜き勾配を考慮することもでき、さらに容器１０を成形する際に金型の隅々までに溶融した樹脂を行き渡らせて、部分的に容器厚みが薄くなることを防止する考慮を行うこともできる。係る場合には当該傾斜角度θ１は90〜150度が好ましく、100〜150度がより好ましく、125〜140度が更に好ましい。
【００２８】
把持部３０において、下端起立部３３は、凹部３１の平坦部３１Ａ及び曲面部３１Ｂから鈍角の傾斜角度で第１側面２１、第２側面２２及び第３側面２３の各下凸部２１Ｂ、２２Ｂ、２３Ｂへ向けて立ち下がる部分である。即ち、下端起立部３３は、第３側面２３から側面視したときに、平坦部３１Ａ及び曲面部３１Ｂから鈍角の傾斜角度θ２で第１側面２１又は第２側面２２の下凸部２１Ｂ、２２Ｂへ向けて立ち下がる部分である（図２）。鈍角の傾斜角度にすることで、手の大小に関係なく、重量がある容器１０を把持して傾けるときに、下端起立部３３を第５指の手の滑りを防止するストッパとすることができる。即ち、傾斜角度θ２を鈍角とすることで、下端起立部３３の幅が広くなり、容器１０を持ち上げた際に手５０の上縁部５１が把持の基準位置である上端起立部３２に当接した時に、手の大小に関係なく、手５０の下縁部５２が下端起立部３３に当接し、第５指の手の滑りを防止するストッパとすることができるのである。第５指の手の滑りが発生すると、容器１０を傾けて内容物を注ぎ出す際に不安定となり、場合によっては内容物をこぼしてしまう場合がある。
【００２９】
当該傾斜角度θ２は、手の大小に関係なく、第５指の滑りを防止可能にする観点から、150度〜170度が好ましく、155度〜170度がより好ましく、160度〜170度が更に好ましく、160度〜165度がまた更に好ましい。
【００３０】
尚、傾斜角度θ１と傾斜角度θ２は、θ１＜θ２の関係となる。
【００３１】
把持部３０の凹部３１は、第３側面２３の上凸部２３Ａと下凸部２３Ｂの間に、第１指の先端から第２指の先端に渡る手の上縁部５１が上端起立部３２に当接し、かつ第５指を含む手の下縁部５２が下端起立部３３に当接することができる長さＨ（図１、図２）の曲面中央部３１Ｃを、曲面部３１Ｂの中央（容器本体部２０の横断面の外周に沿う方向における曲面部３１Ｂの中央）に有する。曲面部３１Ｂの中央は、当該容器１０を成形する際の金型パーティングラインＰと略一致する。従って、前記長さＨは、金型パーティングラインＰが形成される方向（容器底面２０Ｂから注出口部４０に向う縦方向）の、凹部３１の上端から下端までの長さ（第３側面２３から側面視したときの投影長さ）である。
【００３２】
容器本体部２０にあっては、把持部３０の凹部３１が有する曲面中央部３１Ｃの長さＨを、成人の統計的な最小手幅（例えば65.5mm）とし、曲面中央部３１Ｃの長さＨに下端起立部３３の長さＫ（図１、図２）を加えた長さを、成人の統計的な最大手幅（例えば95.0mm）とする。尚、成人の統計的な最小手幅、最大手幅は、例えば「設計のための人体寸法データ集」便覧（通商産業省工業技術院生命工学工業技術研究所編、1996年発行、195頁）に基づくことができる。尚、長さＫは、第３側面２３から側面視したときの投影長さである。
【００３３】
容器本体部２０にあっては、把持部３０の凹部３１が有する曲面中央部３１Ｃが、容器本体部２０の底面２０Ｂに対して略垂直をなすことが、手の平が第３側面と密着できて容器を持ち上げ易くなる観点から好ましい。また、把持部３０の上端起立部３２が、容器本体部２０の底面２０Ｂに対して略平行をなすことが、手５０の上縁部５１が上端起立部３２に当接して容器を持ち上げ易くなる観点から好ましい。
【００３４】
ボトル容器１０にあっては、容器本体部２０の上面に設けられる注出口部４０を前述の注出筒４１により構成するとき、注出筒４１の開口４１Ａが第３側面２３に向かって開口していることが好ましい。
【００３５】
尚、本実施形態のボトル容器１０の把持部３０を、ポリプロピレンやポリスチレン等のシュリンクラベルで包み込むことにより、当該ラベルが滑り止めとなって、ボトル容器１０の把持性が更に向上し、更にデコレーション性も向上する。
【００３６】
従って、本実施例のボトル容器１０によれば以下の作用効果を奏する。
（請求項１）
(a)容器本体部２０に形成される把持部３０が、手指の第１指と、第２指〜第５指と、手の平とを納め得る凹部３１、並びに第１指及び第２指を含む手の上縁部が当接し得る上端起立部３２を有する。また、凹部３１は容器本体部２０の両側の平坦部３１Ａと、両側の平坦部３１Ａ同士をつなぐ曲面部３１Ｂを有する。従って、片手の各指及び手の平の全体を容器本体部２０に無理なく添えることができ、手の大きさや指の長さに関係なく容器本体部２０を確実に把持でき、大容量で重量の重いボトル容器１０でも、持ち易さと注ぎ易さを向上させることができる。
【００３７】
（請求項２）
(b)把持部３０の凹部３１が、平坦部３１Ａと曲面部３１Ｂの境界に凸条部３１Ｄを形成してなる。従って、片手で把持した容器本体部２０を傾けて内容物を注ぎ出すときに、各指が接している平坦部３１Ａと曲面部３１Ｂの境界の凸条部３１Ｄが、各指の滑りを防止し、各指から容器本体部２０が逃げることがない。傾けた容器本体部２０を安定把持し、注ぎ出し性を向上できる。
【００３８】
（請求項３）
(c)把持部３０の上端起立部３２が凹部３１の平坦部３１Ａ及び曲面部３１Ｂから略直角又は鈍角の傾斜角度で各上凸部２１Ａ、２２Ａ、２３Ａへ向けて立ち上がる。従って、上端起立部３２が手指を容器本体部２０に添える把持位置の基準になり、かつ本発明のボトル容器１０を持ち上げるときにその重量が上端起立部３２を介して手の上縁部によって支持されることになるのでボトル容器１０を持ち上げ易い。
【００３９】
(d)把持部３０の下端起立部３３が凹部３１の平坦部３１Ａ及び曲面部３１Ｂから鈍角の傾斜角度で各下凸部２１Ｂ、２２Ｂ、２３Ｂへ向けて立ち下がる。従って、大重量の容器本体部２０を傾けて内容物を注ぎ出すときに、下端起立部３３が第５指の滑りを防止するストッパになり、手の大きさに関係なく、傾けた容器本体部２０を安定把持でき、注ぎ出し性を向上できる。
【００４０】
(e)把持部３０の凹部３１が、第３側面２３の上凸部２３Ａと下凸部２３Ｂの間に、第１指の先端から第２指の先端に渡る手の上縁部が上端起立部３２に当接し、かつ第５指を含む手の下縁部が下端起立部３３に当接することができる長さＨの曲面中央部３１Ｃを、曲面部３１Ｂの中央に有するものとした。第５指を含めた手指の全体で容器本体部２０を把持し、第１指及び第２指と第５指のそれぞれを、上端起立部３２と下端起立部３３のそれぞれに確実に当接させ、ボトル容器１０を持ち上げ易く、注ぎ出し易くできる。
【００４１】
（請求項４）
(f)把持部３０の凹部３１が有する曲面中央部３１Ｃの長さＨを、成人の統計的な最小手幅とし、曲面中央部３１Ｃの長さＨに下端起立部３３の長さＫを加えた長さを、成人の統計的な最大手幅とする。これにより、手の大きさに関係なく、ボトル容器１０を持ち上げ易く、注ぎ出し易くできる。
【００４２】
（請求項５）
(g)把持部３０の凹部３１が有する曲面中央部３１Ｃが容器本体部２０の底面２０Ｂに対して略垂直をなす。ボトル容器１０の持ち上げ時及び注ぎ出し時に、手の平と容器本体部２０との間に隙間を生じにくく、ボトル容器１０を持ち上げ易く、注ぎ出し易くできる。
【００４３】
（請求項６）
(h)把持部３０の上端起立部３２が容器本体部２０の底面２０Ｂに対して略平行をなす。大容量で重量が重いボトル容器１０も持ち上げ易く、無理のない力で注ぎ出しできる。
【００４４】
（請求項７）
(i)注出口部４０が第３側面２３に向かって開口している注出筒４１を有する。従って、容器本体部２０の把持方向及び注ぎ出し方向が明確になる。
【００４５】
（請求項８）
(j)400mL〜2000mLの大容量のボトル容器１０において、上述(a)〜(i)を実現できる。
尚、本発明は上述した実施形態に制限されず、本発明の趣旨を逸脱しない範囲において、適宜変更することができる。
【００４６】
前記凹部３１の平坦部３１Ａにおいて、凸条部３１Ｄと対向する端部３１Ｅは図１では曲線であったが、これに代えて直線であっても良い。
【００４７】
前記凹部３１の平坦部３１Ａ同士が第３側面２３と対向する側面（第４側面２４）で直接つながっていても良く、第４側面に曲面部又は平面部を設けて、平坦部３１Ａ同士をつなげても良い（図７）。
【００４８】
前記凸条部３１Ｄは、連続した凹凸部状や、複数の凸状の筋であっても良い。
【００４９】
以下、本発明を実施例により更に具体的に説明する。尚、本発明は、本実施例になんら制限されない。
【００５０】
以下、本発明に係るボトル容器１０の評価結果について説明する。
〔ボトル容器仕様〕
表１に実施例及び比較例で使用したボトル容器仕様を示す。
【００５１】
【表１】
2010241446.tif 000003
【００５２】
下記は表１の各符号の内容である。
Ｈ１：注出口部４０を含んだ容器高さ（mm）
Ｈ２：前記Ｈ１から注出口部高さを引いた容器高さ（mm）
ＨＧ：内容液を1L充填した時の容器重心Ｇ高さ（mm）
Ｌ１：容器の最大幅（mm）
ＬＧ：容器の第３側面から上記重心Ｇまでの距離（mm）
Ｗ：容器の最大厚み（mm）
Ｄ１：注出筒４１の開口４１Ａの長さ（mm）
Ｄ２：注出筒４１の開口４１Ａの幅（mm）
Ｔ１：従来の取手付ボトル容器（比較例２）の取手開口部の最大高さ（mm）
Ｔ２：従来の取手付ボトル容器（比較例２）の取手開口部の最低高さ（mm）
Ｔ３：従来の取手付ボトル容器（比較例２）の取手開口部の最大高さ部分の第３側面からの距離（mm）
Ｔ４：従来の取手付ボトル容器（比較例２）の取手開口部の最低高さ部分の第３側面からの距離（mm）
【００５３】
〔実施例１〕
規定量1Lの本発明ボトル容器（図８）に、1Lの内容液（花王（株）製、洗濯用合成洗剤アタックバイオジェル）を充填し、評価した。評価法方法は、女性パネラー8名により、当該容器から計量キャップ（口内径φ38mm）に約25mLの内容液を計り取るときの把持性及び計量のし易さについて、表２の評価基準によって官能評価し、表３の結果を得た。表３に示した評価点は、当該容器について、各パネラーが与えた表２に基づく点数を平均化したものである。
【００５４】
〔比較例１〕
規定量1Lの容器であって、実施例１で使用した本発明ボトル容器の把持部の凹部から前記曲面部を省き、把持部の凹部が平坦部のみであるボトル容器（図９）を使用した以外は実施例１同様の評価を実施した。
【００５５】
〔比較例２〕
規定量が1Lの容器であって、従来の取手付ボトル容器（図１０）を使用し、取手部分を把持した以外は実施例１同様の評価を実施した。
【００５６】
〔比較例３〕
規定量が1Lの容器であって、従来のペットボトル容器（図１１）を使用し、重心Ｇ部分を把持し、内容液に水を使用した以外は実施例１同様の評価を実施した。
【００５７】
〔比較例４〕
規定量が1Lの容器であって、従来のペットボトル容器（図１２）を使用し、重心Ｇ部分を把持し、内容液に水を使用した以外は実施例１同様の評価を実施した。
【００５８】
【表２】
2010241446.tif 000004
【００５９】
【表３】
2010241446.tif 000005
【００６０】
表３に示す評価結果より、本発明ボトル容器は、比較例１、３及び４の取手無しボトル容器と比較して、把持性及び計量のし易さの両方が優れていることが判る。また、比較例２の従来の取手付ボトル容器と比較しても同等の評価を得ることができたことがわかる。
【産業上の利用可能性】
【００６１】
本発明によれば、大容量で重量の重いボトル容器でも、手の大きさや指の長さに関係なく、持ち易さと注ぎ易さを向上することができる。
【符号の説明】
【００６２】
１０  ボトル容器
２０  容器本体部
２０Ａ  上面
２０Ｂ  底面
２１  第１側面
２１Ａ  上凸部
２１Ｂ  下凸部
２２  第２側面
２２Ａ  上凸部
２２Ｂ  下凸部
２３  第３側面
２３Ａ  上凸部
２３Ｂ  下凸部
２４  第４側面
３０  把持部
３１  凹部
３１Ａ  平坦部
３１Ｂ  曲面部
３１Ｃ  曲面中央部
３１Ｄ  凸条部
３１Ｅ  平坦部の端部
３２  上端起立部
３３  下端起立部
４０  注出口部
４１  注出筒
４１Ａ  開口
５０  手
５１  手５０の上縁部
５２  手５０の下縁部
【図１】
2010241446.tif 000006
【図２】
2010241446.tif 000007
【図３】
2010241446.tif 000008
【図４】
2010241446.tif 000009
【図５】
2010241446.tif 000010
【図６】
2010241446.tif 000011
【図７】
2010241446.tif 000012
【図８】
2010241446.tif 000013
【図９】
2010241446.tif 000014
【図１０】
2010241446.tif 000015
【図１１】
2010241446.tif 000016
【図１２】
2010241446.tif 000017